(57)【要約】【課題】  充填度測定によらずに、フィルタの交換期間を示すフィルタ用の改良された構成を作成すること。【解決手段】  本発明は、吸い込み側（Ｓ）及び噴出し側（Ｂ）を有する電動モータ（６）を備えた真空掃除機（１）内のフィルタの構成、特にファインフィルタ（７）の構成であって、ファインフィルタ（７）の場合に、噴出し側（Ｂ）にファインフィルタ（７）用の収容室（８）が設けられ、フィルタがフィルタ筐体を有するフィルタに関する。充填度測定によらない、フィルタ用のフィルタ交換表示を有する改良された構成を作成するために、フィルタ筐体に操作板（１３）が形成され、収容室（８）内へのフィルタ（７）の導入時に操作板（１３）が使用時間インジケータをリセットすることを特徴とするフィルタの構成。【選択図】図５
2008528082.tif 000002
【特許請求の範囲】
【請求項１】
吸い込み側（Ｓ）及び噴出し側（Ｂ）を有する電動モータ（６）を備えた真空掃除機（１）内のフィルタの構成、特にファインフィルタ（７）の構成であって、ファインフィルタ（７）の場合に、噴出し側（Ｂ）に前記ファインフィルタ（７）用の収容室（８）が設けられ、前記フィルタがフィルタ筐体を有するフィルタの構成において、
前記フィルタ筐体に操作板（１３）が形成され、前記収容室（８）内への前記フィルタ（７）の導入時に前記操作板（１３）が使用時間インジケータをリセットすることを特徴とするフィルタの構成。
【請求項２】
前記操作板（１３）が、前記フィルタ（７）の導入時に、機能しない状態に切り替えられることを特徴とする請求項１に記載のフィルタの構成。
【請求項３】
前記操作板（１３）が、前記機能しない状態に切り替わったままとなることを特徴とする請求項１又は請求項２に記載のフィルタの構成。
【請求項４】
使用時間インジケータのリセットのために、切り替わっていない操作板（１３）によって作動されるスイッチエレメント（１７）が設けられることを特徴とする請求項１乃至請求項３のいずれか１項に記載のフィルタの構成。
【請求項５】
前記スイッチエレメント（１７）が電子スイッチ（２３）に作用することを特徴とする請求項４に記載のフィルタの構成。
【請求項６】
前記スイッチエレメント（１７）が、切り替わっていない前記操作板（１３）の通過毎にオンの状態又はオフの状態に電子スイッチ（２３）をシフトさせることを特徴とする請求項４又は請求項５に記載のフィルタの構成。
【請求項７】
オンの状態からオフの状態への前記電子スイッチ（２３）のスイッチ状態のシフト毎に、使用時間インジケータがリセットされることを特徴とする請求項５又は請求項６に記載のフィルタの構成。
【請求項８】
前記スイッチエレメント（１７）が、前記フィルタ（７）の取り出し時に、切替え作動器として前記操作板（１３）と一体に作用することを特徴とする請求項４乃至請求項７のいずれか１項に記載のフィルタの構成。
【請求項９】
前記スイッチエレメント（１７）が、切り替わっていない前記操作板（１３）が通過する途中でのみオン状態に前記電子スイッチ（２３）を保持することを特徴とする請求項４乃至請求項８のいずれか１項に記載のフィルタの構成。
【請求項１０】
前記スイッチエレメント（１７）が、切り替えホイール（１８）であることを特徴とする請求項４乃至請求項９のいずれか１項に記載のフィルタの構成。
【請求項１１】
前記スイッチエレメント（１７）が、傾斜板（２６）であることを特徴とする請求項４乃至請求項９のいずれか１項に記載のフィルタの構成。
【請求項１２】
真空掃除機（１）、特に家庭用真空掃除機の噴出し気流中に配置され、カセット状の樹脂筐体（１１）を有するファインフィルタ（７）において、
前記樹脂筐体（１１）に、機能状態から機能しない状態に切り替え可能な操作板（１３）が形成されていることを特徴とするファインフィルタ。
【請求項１３】
前記操作板（１３）が、使用時間インジケータのリセットに使用されることを特徴とする請求項１２に記載のファインフィルタ。
【請求項１４】
前記操作板（１３）が、樹脂からなることを特徴とする請求項１２又は請求項１３に記載のファインフィルタ。
【請求項１５】
前記操作板（１３）が、折れ曲がりノッチ（１４）を有することを特徴とする請求項１２乃至請求項１４のいずれか１項に記載のファインフィルタ。
【請求項１６】
前記折れ曲がりノッチ（１４）が、前記操作板の、前記ファインフィルタ（７）の押し込み方向（ａ）側の側面に形成されていることを特徴とする請求項１５に記載のファインフィルタ。
【請求項１７】
前記折れ曲がりノッチ（１４）が、前記操作板（１３）の、前記ファインフィルタ（７）の押し込み方向（ａ）と反対側の側面に形成されていることを特徴とする請求項１５又は請求項１６に記載のファインフィルタ。
【発明の詳細な説明】
【技術分野】
【０００１】
本発明は、まず、吸い込み側及び噴出し側を有する電動モータを備えた真空掃除機内のフィルタの構成、特にファインフィルタの構成であって、ファインフィルタの場合に、噴出し側に前記ファインフィルタ用の収容室が設けられ、前記フィルタがフィルタ筐体を有するフィルタの構成に関する。
【背景技術】
【０００２】
この種の構成は、例えば、特許文献１から知られる。この実用新案書面の内容は、これでもって先の発明の開示において充分に含まれ、また、この実用新案の目的及び特徴も先の出願の特許請求の範囲内に含まれる。
【０００３】
真空掃除機は、埃を含む吸込み気流から埃の粒子又は汚れの粒子をろ過するための集塵バッグを公知の態様で使用する。これに関しては、さらに、この後、粗い粒子が除かれた吸込み気流を周囲に排気する前にファインフィルタで終端して、微小粒子の後方保持を行うことが知られている。そのようなファインフィルタは、電動モータの噴出し側に関して配置される。きわめて小さいがまだ排気流内に存在する吸込み粒子のろ過の他に、そのようなファインフィルタも必要に応じて直列連結された電動モータの油粒子のろ過に役立つ。ここで、通常の態様で構成されたファインフィルタの樹脂内に収容されたフィルタペーパは時間と共に粒子が蓄積されるため、ファインフィルタを掃除機内に交換可能に収容することがさらに知られている。
【０００４】
掃除機用のフィルタの作動期間は、取り分け、フィルタの充填度又は取り付けられたフィルタ材料の充填度に依存する。そのようなフィルタの状態は、圧力依存性による充填度測定を介して検出され、ユーザに示される。既定の差圧値若しくは減圧値の上限又は下限においては、フィルタ毎に交換される。
【特許文献１】ドイツ国公開第２０２０７２５６Ｕ１号公報
【発明の開示】
【発明が解決しようとする課題】
【０００５】
上記の技術の現状に鑑み、本発明の技術的課題は、充填度測定によらずに、フィルタの交換期間を示すフィルタ用の改良された構成を作成することとして見出される。
【課題を解決するための手段】
【０００６】
この課題は、まずそして基本的に請求項１に記載の対象において解決され、そこでは、フィルタ筐体に操作板が形成され、収容室内へのフィルタの装着時に、操作板が使用時間インジケータをリセットすることが企図される。このように切り替わることにより、使用時間インジケータをフィルタ交換表示として有し、フィルタ交換の表示を充填度測定によらず自らが行う構成が形成される。そのような使用時間インジケータは、ファインフィルタとの関連で特に好ましいことが明らかである、何故ならば、この場合、圧力測定を介した充填度測定は適さない（また、無駄である）ことが明らかだからである。さらに、そのような使用時間インジケータは、通常の掃除機のフィルタバッグ又は同様のものとの関連にも応用することができる。この使用時間インジケータは、収容室内へのフィルタの導入をもって、フィルタ筐体に形成された操作板を介してゼロにリセットされる。ここにおいて、特にファインフィルタにおいて、フィルタ筐体は、フィルタ材料を取り囲む樹脂からなる筐体であってもよい。掃除機のフィルタバッグにおいて、フィルタ筐体は、掃除機のフィルタバッグを対応する収容室内に保持する保持プレートによって形成されるのでもよい。使用時間インジケータを介して、管理対象のフィルタの使用期間が検出される。予め決められた時間を超過したとき、音響信号又は光学信号で必要なフィルタの交換が通知される。これに関連して、さらに、使用時間インジケータが、フィルタ筐体を有しこれと一致する操作板を有するフィルタの導入だけで、ゼロ位置にリセット可能に構成されるのは好ましい。
【０００７】
以下、他の請求項の対象は、請求項１の対象との関連で記載されるが、しかしながらまた、その独立形式においても重要である。例えば、さらに、操作板がフィルタの導入時に機能しない状態に切り替えられるように企図される。これに関連して、操作板が機能しない状態に切り替わったままとなるように構成されるのは好ましい。このように切り替わることにより、既に１度対応する収容室に装着されたファインフィルタが切り替わったままの操作板によって検知される構成が実現される。これに対応して、未使用のフィルタのみが、機能状態、即ち、使用時間インジケータに対応する状態にある操作板を有する。さらに、使用時間インジケータのリセットのために、切り替わっていない操作板を介してのみ作動されるスイッチエレメントを有するのは好ましい。このように切り替わることにより、使用時間インジケータが既に１度装着されたフィルタによってゼロ位置に設定されることはない。これは、切り替わっていない操作板を有する新しいフィルタによってのみ可能である。その結果、新しく未使用のフィルタによって、使用時間インジケータのリセットが行われるように、確保されている。スイッチエレメントは、そのスイッチ状態が電子回路又は同様のものによって検出される電子スイッチに対しても作用する。この電子回路を介して、使用時間インジケータの調整、及び、これのゼロ位置へのリセットも行われる。さらに、電子回路を介して、音響的及び／又は工学的なフィルタ状態の表示も実行可能である。ある実施例において、スイッチエレメントは、切り替わっていない操作板によって通過される毎に、電子スイッチをオン状態又はオフ状態にシフトさせる。後段の電子回路は、これにより、電子スイッチの状態を監視する。使用時間インジケータは、オン状態からオフ状態への電子スイッチの各切り替わり及びその逆において、リセットされる。したがって、電子スイッチの状態の切り替りが後段の電子回路によって検知されれば、これが、使用時間インジケータのゼロ位置へのリセットに導く。電子スイッチの状態変化が検出されない限り、使用時間インジケータはさらに作動し、その結果、既に使用されて機能しない状態に切り替わったままの操作板を有するフィルタの再装着においても同様である。また、スイッチエレメントは、フィルタの取り出し時にも、切り替え作動手段として操作板と一体に機能するのでもよい。収容室内へのフィルタの装着時に、切り替わっていない操作板が、スイッチエレメント上を通過する。まず、収容室からのフィルタの取り出しは、スイッチエレメントに当たって操作板を機能しない状態に切り替えたままにする。代わりに、さらに、スイッチエレメントが切り替わっていない操作板の通過の途中でのみ電子スイッチをオン状態に保持するように企図される。対応して、電子スイッチがボタンスイッチとして構成され、操作板を介して作動するスイッチエレメントによるスイッチング時に、短時間オンするボタンスイッチ上を切り替わっていない操作板が通過する途中で生ずるパルスが検出される。スイッチエレメントは、切り替わっていない操作板を介してセグメントの周りに回転する切り替えホイールであってもよい。代わりに、スイッチエレメントは、また、切り替わっていない操作板を介して、好適にバネ固定された元の状態から電子スイッチを作動する機能状態に押し出される傾斜板であってもよい。さらに、操作板を介して、必要であれば操作板によって機能するスイッチエレメントを介して、押下によるオンが掃除機の使用を初めて許可するように構成することも可能である。そして、例えば、装着されたフィルタをもってのみ、掃除機が使用可能となるように、確保される。
【０００８】
本発明は、さらに、真空掃除機、特に、カセット式樹脂筐体を有するファインフィルタを取り付ける家庭用掃除機に関する。この種の技術のファインフィルタに利点をもたらすために、樹脂材料からなり機能状態から機能しない状態に切り替わりうる操作板が形成されることが企図される。このように切り替わることにより、樹脂材料で形成された操作板の状態に基づいて、これが未使用か又は既に少なくとも１度装着されたものであるかを検出するファインフィルタが形成される。この操作板は、インジケータをなす。ここにおいて、操作板は、ファインフィルタを収容する真空掃除機の収容室と一体に機能するように設けられ、さらに、例えば、機能状態にある操作板を介してのみ機能しうる接触と一体で機能するのでもよい。さらに、この接触は、例えば、真空掃除機を始動するために必要とされるものである。これにより、真空掃除機は、機能状態にあるファインフィルタの板の位置のみで切り替え可能であり、その結果、ファインフィルタなしでは駆動できないように、確保される。
【０００９】
以下、他の請求項の対象は、請求項１２の対象に関して記載されるが、しかしながら、その独立した形式においても重要である。好ましくは、操作板はファインフィルタ用のフィルタ交換表示として使用される。例えば、操作板は、使用時間インジケータをリセットするために使用されることが提案される。そのような使用時間インジケータは、充填度測定には依存せずに作動するフィルタ交換表示を形成する。ここにおいて、操作板が機能状態においてのみ使用時間インジケータに対しゼロ位置へのリセットを行うように作用することは、基本である。それゆえ、操作板が機能しない状態に切り替わっている場合、フィルタを掃除機内へ挿入し又は掃除機から取り出すことは、何も影響しない。したがって、使用時間インジケータは、真空掃除機の始動において、再び時間を刻む。操作板は、好ましくは、さらに、例えば、ファインフィルタの樹脂筐体と材料的に同一の樹脂材料からなる。操作板を制御して機能状態から機能しない状態に切り替えるため、操作板が例えばファインフィルタの押し込み方向側の側面に形成された折れ曲がりノッチを有することが企図される。代わりに、折れ曲がりノッチは、操作板の、ファインフィルタの押し込み方向と反対の面に形成されるのでもよい。これに関して、ファインフィルタが割り当てられた収容室内に１度装着された後、又は、収容室から１度取り出された後に、操作板が機能しない状態に切り替わったままでいるのは、さらに好ましい。
【００１０】
以下、本発明は、複数の単なる実施例が図示された付随の図面を参照してより明らかにされる。
まず、図１に関連して、基礎筐体２、着脱可能に保持され図示しないフィルタバッグを収納するフィルタ室３、操作ハンドル４及び吸い込みアダプタ５を備えた家庭掃除機型の真空掃除機１が図示され、記載されている。
【００１１】
同様に詳細には図示されていない基礎筐体２内に配置された吸込み／電動モータ６は、噴出し側Ｂと吸い込み側Ｓとを有し、フィルタ室３の吸い込み側Ｓが向けられている。これに対して、噴出し側Ｂは、周辺のファインフィルタ７の中間に向けられている。
【００１２】
言及されたファインフィルタ７は、電動モータ６の噴出し側Ｂが配置された収容室８内に保持され、この収容室８は、取り付け可能な噴出し格子９によって終端されている。後者は、内側、即ち収容室８に向けられ、噴出し格子の開口部を覆う線維１０を有する。
【００１３】
図４の個別に示す図から分かるように、ファインフィルタ７は、直方体状の輪郭のカセット式の樹脂筐体１１を有する。２つの対向する平板面は、それぞれ、格子構造１２を有し、樹脂筐体１１を気流が通過できるようになっている。樹脂筐体１１は、同時にフィルタ筐体をも形成する。
【００１４】
樹脂筐体１１の内側には、ジグザグ状に折り曲げられたフィルタペーパが収容されている。
【００１５】
ファインフィルタ７の収容室８内への取り付けは、噴出し格子９を取り外して収容室８を開けた後に押し込むことによって行われる。
【００１６】
狭い側面には、対向して配置された両方の格子構造１２の間に、側壁に対して略垂直に突き出した操作板１３が形成されており、これは樹脂筐体１１と同一の材料からなる。これらの操作板１３は、収容室８内へ／からのファインフィルタ７の押し込み方向／引き出し方向に直角に広がっている。
【００１７】
操作板１３は、図１〜図７に示された第１の実施例において、操作板１３の、ファインフィルタ７の押し込み方向ａ側の側面上に形成された折れ曲がりノッチ１４を有する。さらに、折れ曲がりノッチ１４は、樹脂筐体１１の操作板１３の基部に平行に伸びており、操作板１３を樹脂筐体１１に接続される固着部１５と自由に突き出す可動部１６とに細分している。
【００１８】
ファインフィルタ７の収容室８に関しては、図示しない使用時間インジケータと一体として機能させるためのスイッチエレメント１７が掃除機の基礎筐体２内に設けられている。このスイッチエレメント１７は、図１〜図７に図示された第１の実施例において、スターホイール様で回転軸ｘを有する切り替えホイール１８であり、この回転軸は収容室８内へ／からのファインフィルタ７の押し込み方向又は引き出し方向に直交するように調整されている。
【００１９】
切り替えホイール１８は、側面に切欠き１９を有する。例えば、図示された実施例においては、切り替えホイール１８の側面側に、回転軸ｘに平行に形成され、相互に等角度間隔で配置された６つの切欠きが設けられている。
【００２０】
切り替えホイール１８の軸端部分に、これと同軸に、３つの等角度間隔に分割され、径方向に突き出すノッチ２１を有するカム２０が形成されている。したがって、カム２０は、切り替えホイール１８の切欠き１９に比較して半分の数のノッチ２１を有する。
【００２１】
このように形成されたスイッチエレメント１７は、導入即ちファインフィルタ７を収容室８内に押し込む途中で、可動部１６を有する操作板１３が切欠き１９を有する部分に入っていくように配置される。図６から分かるように、押し込み方向（矢印ａ）へのファインフィルタ７の移動において、操作板１３の可動部１６は、切り替えホイール１８の調整された溝に導かれ、その後、ファインフィルタ７がまた矢印の方向ａに離れていくことによって、切り替えホイール１８は、牽引力の下、切欠き部分程度再び回転する。同時に、カム２０は、その全角度分だけ回転される。このとき、カム２０の外壁上に載っている、電子スイッチ２３の接触子２２は、その位置に関して、それゆえ電子スイッチ２３の接触に関して反転する。これは、接触子２２が、カム２０の外壁上に載っているときに切り替えホイール１８が操作板１３によって引きずられたとき、次の径方向に突き出たノッチ２１上に動かされる（図６及び図７参照。）ことを意味する。この状態では、電子スイッチ２３はオフである。接触子のこの状態はノッチ２１上の分離状態であるため、例えば、切り替えホイール１８が操作板１３によって引きずられた場合、接触子２２はカムの側壁に落ちていき、電子スイッチ２３がオンの状態となる。接触子２２は、スイッチオンの状態にバネ２４で押されている。
【００２２】
切欠き分の移動毎に接触子の状態が反転する。電子スイッチ２３が上記のようにオンであれば、即ちオフになる。これに対してオフであれば、即ちオンになる。
【００２３】
収容室８内でのファインフィルタ７のエンドポジションへの更なる移動において、可動部１６は、ファインフィルタ７をさらに押し込み方向ａに押した場合に、可動部１６を折れ曲げて機能しない状態にする、収納室側のストッパ２５に向かって進む。操作板１３又はその可動部１６は、この後、折れ曲がった状態に切り替わったままとなる。代わりに、ストッパ２５は、また、可動部１６が切断されるように形成されているのでもよい。さらに、折れ曲がりノッチ１４は、フィルムヒンジ又はミシン目として形成され、所定の以上の力が加わった場合のみに可動部１６が折れ曲がり又は引きちぎられるように構成されるのでもよい。
【００２４】
真空掃除機１又は基礎筐体内に設けられた電子回路は、電子スイッチ２３の状態が変化したか否かについて、定期的に検査する。変化した場合、使用時間インジケータはリセットされる。商用電圧を印加すること無しにフィルタが切り替えられる場合、操作板１３を機能状態で有する新しいファインフィルタは、次の作動おいて記録される。さらに、電子回路２３の状態は、装置の停止時に、不揮発性メモリ、例えばＥＥＰＲＯＭ内に書き込まれる。
【００２５】
使用時間インジケータのリセットは、新しく未使用のファインフィルタ７の装着時に、強制的にのみ実施される。切り替わったままの、操作板１３の可動部１６は、ファインフィルタ７が収容室８から出て行く移動の途中及び収容室８内へファインフィルタ７が再び装着されるときに、引きずることなく切り替えホイール１８を通過する。また、既に装着されたファインフィルタ７が再装着され誤って使用時間インジケータがリセットされることにはならないように、確保されている。
【００２６】
図８及び図９には、スイッチエレメント１７の第２の実施例が図示されている。ここにおいて、これは軸ｙの周りに旋回可能な傾斜板２６として形成されている。この傾斜板は、筐体側のストッパ２８に向けて、操作板１３を有し装着されるファインフィルタ７の側壁方向にバネ２７で押し付けられている。
【００２７】
ファインフィルタ７が矢印ａ方向に収容室８内に導入されるとき、機能状態を維持した可動部１６を有する操作板１３は、バネ２７の力に抗して作動される回転板状のスイッチエレメント１７上を通過し、この作動の途中で電子回路２３のボタンスイッチ機構２９が押される。ここにおいて、電子回路２３はオン−オフスイッチとして構成され、これにより、ボタンスイッチ機構２９上を通過する毎にスイッチの状態の反転が引き起こされる。このスイッチの状態は、上記の実施例に詳述されているように、電子回路で検出される。
【００２８】
上記の実施例にもあるように、操作板１３の可動部１６は、スイッチングエレメント１７上を通過した後、ストッパ２５に向けて進み、この後、可動部１６は機能しない状態に切り替わったままとなる（図９参照。）。この後外されるこの可動部１６は、出て行く方向への移動においても、場合によっては収容室８内へのファインフィルタ７の再導入においても、スイッチエレメント１７を作動させない。
【００２９】
他の実施例が図１０及び図１１に示されている。上記の２つの実施例の相違部分のうち、折れ曲がりノッチ１４は、ここでは、ファインフィルタ１７の押し込み方向ａと反対側の操作板１３の側面に形成されている。
【００３０】
スイッチエレメント１７は、図８及び図９の実施例と同様に形成されている。
【００３１】
回転板状のスイッチエレメント上１７を通過後、ファインフィルタ７の収容室８内への装着時、及びそれによる電子スイッチ２３のスイッチ状態の反転時に、操作板１３の可動部１６は、その後も機能状態にあり続ける。これは、また、ファインフィルタ７の擬似的な最終状態でもある。ファインフィルタ７を収容室８から取り出すとき、可動部１６は、まず、板状のスイッチエレメント１７の下側に進み、その後機能しない状態に切り替わったままとなる（図１１参照。）。スイッチエレメント１７は、この実施例において、ファインフィルタ７を装着する工程では電子スイッチ２３のスイッチ解除器として機能し、ファインフィルタ７を取り出す工程では、操作板１３又はその可動部１６の切替え作動器として機能する。
【００３２】
全ての開示された特徴は、（それ自身が）発明の要部をなす。これでもって、出願の開示において、付随／同封の優先権の基礎書面（先の出願のコピー）の公開内容は、また十分に取り込まれ、この書面の目的及び特徴に関しても、また、先の出願の特許請求の範囲内に含まれている。
【図面の簡単な説明】
【００３３】
【図１】ファインフィルタを有する家庭用掃除機型の真空掃除機の斜視図である。
【図２】ファインフィルタを被う噴出し格子を表す真空掃除機の側面からの詳細拡大図である。
【図３】図２に対応する図であって、噴出し格子を外した後の収容室内に保持されるファインフィルタを表す図である。
【図４】機能状態の操作板を有するファインフィルタを個別に示す斜視図である。
【図５】ファインフィルタが装着されたときの、図３のＶ−Ｖ線での模式的断面図である。
【図６】図５のＶＩ−ＶＩ部分の拡大図であって、未使用の新しいファインフィルタの装着の途中の状態に関する図である。
【図７】図６に対応する図であって、ファインフィルタの装着状態に関する図である。
【図８】第２の実施例の図６に対応する途中の状態を示す図である。
【図９】図８に一致する実施例のファインフィルタの装着状態に関する図である。
【図１０】他の実施例の、未使用のファインフィルタを装着する途中の状態を示す図である。
【図１１】ファインフィルタの装着状態と、配置された収容室からファインフィルタを取り外す途中の機能しない状態における、一点差線の操作板の配置状態を示す図である。
【符号の説明】
【００３４】
１  真空掃除機
２  基礎筐体
３  フィルタ室
４  操作ハンドル
５  吸い込みアダプタ
６  吸込み／電動モータ
７  ファインフィルタ
８  収容室
９  噴出し格子
１０  線維
１１  樹脂筐体
１２  格子構造
１３  操作板
１４  折れ曲がりノッチ
１５  固着部
１６  可動部
１７  スイッチエレメント
１８  切り替えホイール
１９  切欠き
２０  カム
２１  ノッチ
２２  接触子
２３  電子スイッチ
２４  バネ
２５  ストッパ
２６  傾斜板
２７  バネ
２８  ストッパ
２９  ボタンスイッチ機構
Ｂ  噴出し側
Ｓ  吸い込み側
【図１】
2008528082.tif 000003
【図２】
2008528082.tif 000004
【図３】
2008528082.tif 000005
【図４】
2008528082.tif 000006
【図５】
2008528082.tif 000007
【図６】
2008528082.tif 000008
【図７】
2008528082.tif 000009
【図８】
2008528082.tif 000010
【図９】
2008528082.tif 000011
【図１０】
2008528082.tif 000012
【図１１】
2008528082.tif 000013
【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
吸い込み側（Ｓ）及び噴出し側（Ｂ）を有する電動モータ（６）を備えた真空掃除機（１）内のフィルタの構成、特にファインフィルタ（７）の構成であって、ファインフィルタ（７）の場合に、噴出し側（Ｂ）に前記ファインフィルタ（７）用の収容室（８）が設けられ、前記フィルタがフィルタ筐体を有するフィルタの構成を有する真空掃除機において、
前記フィルタ筐体に操作板（１３）が形成され、前記収容室（８）内への前記フィルタ（７）の導入時に前記操作板（１３）が使用時間インジケータをリセットすることを特徴とするフィルタの構成を有する真空掃除機。
【請求項２】
前記操作板（１３）が、前記フィルタ（７）の導入時に、機能しない状態に切り替えられることを特徴とする請求項１に記載の真空掃除機。
【請求項３】
前記操作板（１３）が、前記機能しない状態に切り替わったままとなることを特徴とする請求項１又は請求項２に記載の真空掃除機。
【請求項４】
使用時間インジケータのリセットのために、切り替わっていない操作板（１３）によって作動されるスイッチエレメント（１７）が設けられることを特徴とする請求項１乃至請求項３のいずれか１項に記載の真空掃除機。
【請求項５】
前記スイッチエレメント（１７）が電子スイッチ（２３）に作用することを特徴とする請求項４に記載の真空掃除機。
【請求項６】
前記スイッチエレメント（１７）が、切り替わっていない前記操作板（１３）の通過毎にオンの状態又はオフの状態に電子スイッチ（２３）をシフトさせることを特徴とする請求項５に記載の真空掃除機。
【請求項７】
オンの状態からオフの状態への前記電子スイッチ（２３）のスイッチ状態のシフト毎に、使用時間インジケータがリセットされることを特徴とする請求項５又は請求項６に記載の真空掃除機。
【請求項８】
前記スイッチエレメント（１７）が、前記フィルタ（７）の取り出し時に、切替え作動器として前記操作板（１３）と一体に作用することを特徴とする請求項４乃至請求項７のいずれか１項に記載の真空掃除機。
【請求項９】
前記スイッチエレメント（１７）が、切り替わっていない前記操作板（１３）が通過する途中でのみオン状態に前記電子スイッチ（２３）を保持することを特徴とする請求項５乃至請求項８のいずれか１項に記載の真空掃除機。
【請求項１０】
前記スイッチエレメント（１７）が、切り替えホイール（１８）であることを特徴とする請求項４乃至請求項９のいずれか１項に記載の真空掃除機。
【請求項１１】
前記スイッチエレメント（１７）が、傾斜板（２６）であることを特徴とする請求項４乃至請求項９のいずれか１項に記載の真空掃除機。
【請求項１２】
真空掃除機（１）、特に家庭用真空掃除機の噴出し気流中に配置され、カセット状の樹脂筐体（１１）を有し、前記樹脂筐体（１１）に操作板（１３）が形成されているファインフィルタ（７）において、
前記樹脂筐体（１１）が、機能状態から機能しない状態に切り替え可能なことを特徴とするファインフィルタ。
【請求項１３】
前記操作板（１３）が、使用時間インジケータのリセットに使用されることを特徴とする請求項１２に記載のファインフィルタ。
【請求項１４】
前記操作板（１３）が、樹脂からなることを特徴とする請求項１２又は請求項１３に記載のファインフィルタ。
【請求項１５】
前記操作板（１３）が、折れ曲がりノッチ（１４）を有することを特徴とする請求項１２乃至請求項１４のいずれか１項に記載のファインフィルタ。
【請求項１６】
前記折れ曲がりノッチ（１４）が、前記操作板の、前記ファインフィルタ（７）の押し込み方向（ａ）側の側面に形成されていることを特徴とする請求項１５に記載のファインフィルタ。
【請求項１７】
前記折れ曲がりノッチ（１４）が、前記操作板（１３）の、前記ファインフィルタ（７）の押し込み方向（ａ）と反対側の側面に形成されていることを特徴とする請求項１５に記載のファインフィルタ。
【国際調査報告】
2008528082.tif 000014
2008528082.tif 000015
2008528082.tif 000016
2008528082.tif 000017
2008528082.tif 000018
2008528082.tif 000019